(57)【特許請求の範囲】
【請求項１】
遊技用プログラムを記憶する記憶媒体を具備する制御基板が入れられる基板収納口を有し、この基板収納口から前記制御基板が収納されるケース本体と、
このケース本体に設けられ前記基板収納口を覆蓋する蓋体と、
前記ケース本体に前記蓋体を封止して覆蓋状態を維持する封止部と
を有する基板収納ケースに用いられる制御基板封止構造であって、
この制御基板封止構造は前記封止部に適用され、
前記封止部は、
前記ケース本体に設けられた本体側封止部と、
前記蓋体に設けられ、前記基板収納口を前記蓋体が閉塞すると前記本体側封止部と同一線上において前後して位置する蓋側封止部と、
前記基板収納口を前記蓋体で閉塞した状態において前記本体側封止部及び前記蓋側封止部を連結し、当該連結により蓋体を前記ケース本体に対して封止状態にする連結用橋絡部材とを有し、
前記蓋側封止部は、前記連結用橋絡部材と係合する係合部を有し、
前記連結用橋絡部材は、前記係合部と係合しかつ数珠繋ぎ状に連結された複数の係合片を有し、
前記本体側封止部は、前記蓋側封止部と前記連結用橋絡部材とを係合するために前記連結用橋絡部材を前記蓋側封止部側に向けて案内する案内部を有し、
前記連結用橋絡部材は、前記本体側封止部にスライド自在に係合されると共にその後端部には取手を有し、
前記案内部は前記取手が外部に臨んだ状態で前記連結用橋絡部材がスライド可能なスライド孔とされ、
当該スライド孔は、前記同一線上に沿って延びていることを特徴とする基板収納ケースに用いられる制御基板封止構造。
【請求項２】
前記スライド孔には、前記連結用橋絡部材の進行方向側先端に前記取手の進行を阻止することで前記連結用橋絡部材の前記スライド孔からの抜けを防止する抜け防止手段が形成されていることを特徴とする請求項１に記載の基板収納ケースに用いられる制御基板封止構造。
【請求項３】
請求項１又は２に記載の制御基板封止構造が適用された基板収納ケースを有する遊技機
。
【発明の詳細な説明】
【技術分野】
【０００１】
本発明は、遊技機における基板収納ケースに用いられる制御基板封止技術に関する。
【背景技術】
【０００２】
パチンコ機やパチンコスロットその他の遊技媒体を用いて遊技が実行される遊技機では、遊技実行中に所定条件を満たすと遊技者にとって有利な特別遊技状態、いわゆる大当たりとなり、遊技球やメダル等の遊技媒体を多量に獲得できる。遊技媒体は、種々の景品と交換できるため、遊技者は大当たり獲得を目指す。
大当たりになると、遊技機に組み込まれた可変表示装置に各種図柄の変動やキャラクターの出現により実行される様々な演出が表示される。
【０００３】
可変表示装置に表示される演出は、遊技機内部に実装された制御装置によって制御されるが、制御装置は、可変表示装置への演出の表示制御だけでなく、大当たりを引き当てるための大当たり抽選プログラムを実行する。大当たり抽選プログラムは、電子的制御に基づいて特定の乱数を引き当てた場合に大当たりとなるように設定されたプログラムである。
【０００４】
また、遊技機には各種電飾やスピーカが取り付けられているが、制御装置は、これらの電飾を光らせたり、演出に合わせて鳴り響く効果音をスピーカから出したりするといった制御も行う。そのために制御装置には、基本処理装置としてのＣＰＵ（Ｃｅｎｔｒａｌ  Ｐｒｏｃｅｓｓｉｎｇ  Ｕｎｉｔ）と、ＣＰＵでの処理に用いられるデータを一時記憶するＲＡＭ（Ｒａｎｄｏｍ  Ａｃｃｅｓｓ  Ｍｅｍｏｒｙ）と、ＣＰＵにて処理する前記大当たり抽選プログラムを含む各種プログラムその他のプログラムを記憶したＲＯＭ（Ｒｅａｄ  Ｏｎｌｙ  Ｍｅｍｏｒｙ）とが制御基板上に備えられている。そして、ＣＰＵは、ＲＡＭに記憶されているデータやＲＯＭに記憶されているプログラムを必要に応じて読み出して各種制御を実行する。
【０００５】
ところで、既述のように、大当たりを引き当てると種々の景品と交換できるため、大当たりが連続するように改竄された不正な大当たり抽選プログラムを記憶したＲＯＭに制御基板ごと取り替えられてしまうといった事態が生じた。
【０００６】
そこで、このような不正を防止するために、特許文献１では、大当たり抽選プログラムの改竄防止技術について開示する。特許文献１の改竄防止技術は、螺合手段により基板収納ケースから制御基板を取り外せないようにするというものである。
【特許文献１】特開２００１−２７６３８６号公報
【発明の開示】
【発明が解決しようとする課題】
【０００７】
この種の基板収納ケースは、従来、制御基板を収納する矩形のケース本体と、このケース本体の基板収納口を前記蓋体で覆蓋する蓋体と、その覆蓋状態を維持する封止部材とから構成される。なお、ケース本体の基板収納口を蓋体で覆蓋する状態を維持することを封止という。
【０００８】
封止部材は、ケース本体に連結部を介して配置された複数のケース側封止部材と、前記蓋体に連結部を介して設けられ、前記ケース側封止部材と相対応して配置された複数の蓋側封止部材と、両封止部を固着するワンウェイネジ（一方向ネジ）その他の特殊形状ネジとからなる。ワンウェイネジを締め付けることで、蓋体はケース本体に封止されその開放
が阻止される。ただし、複数のケース側封止部材と、複数の蓋側封止部材のうちの少なくとも一対の封止部材がネジ止めされていれば、封止は十分に行われる。
【０００９】
この種の封止部材は、前記連結部を切断しない限り、基板収納ケースの開封ができないようになっている。このため、連結部での切断の痕跡を発見すれば、開封の事実を確認できる。
【００１０】
なお、不正行為が行われているか否かの検証は、監督官庁等により行われるが、その場合も当然のことながら、連結部は切断される。ケース側封止部材及び蓋側封止部材をそれぞれ複数揃えるのは、１つの基板収納ケースに対し、複数回の検査を受けられるようにするためである。
【００１１】
従来の基板収納ケースは、ネジ一個に対してケース側封止部材及び蓋側封止部材は対の関係にある。またケース側封止部材及び蓋側封止部材の各々は、ケース本体及び蓋体ばかりか、隣接する封止部材とも連結部を介して連結されている。このため、前記検証の際には、封止部材同士を連結する連結部の連結を解除しなければならず面倒であった。さらに、隣接する封止部材同士は、連結部を介して数珠繋ぎ状に連結されているから、自ずと長寸になってしまい、それだけ基板収納ケースの大型化を招来する。基板収納ケースが大型化すると、その取付け作業が面倒である。
【００１２】
本発明は、上記課題を解決するためになされたものであり、その解決しようとする課題は、ケース本体を封止するための封止部材のコンパクト化を図ると共に、封止解除がこれまでよりも容易に行うことができる技術を提供することにある。
【課題を解決するための手段】
【００１３】
本発明は、前記課題を解決するため、以下の手段を採用した。
（１）すなわち本発明の遊技機における基板封止構造は、遊技用プログラムを記憶する記憶媒体を具備する制御基板が入れられる基板収納口を有し、この基板収納口から前記制御基板が収納されるケース本体と、このケース本体に設けられ前記基板収納口を覆蓋する蓋体と、前記ケース本体に前記蓋体を封止して覆蓋状態を維持する封止部とを有する基板収納ケースに用いられる制御基板封止構造であって、この制御基板封止構造は前記封止部に適用され、前記封止部は、前記ケース本体に設けられた本体側封止部と、前記蓋体に設けられ、前記基板収納口を前記蓋体が閉塞すると前記本体側封止部と同一線上において前後して位置する蓋側封止部と、前記基板収納口を前記蓋体で閉塞した状態において前記本体側封止部及び前記蓋側封止部を連結し、当該連結により蓋体を前記ケース本体に対して封止状態にする連結用橋絡部材とを有し、前記蓋側封止部は、前記連結用橋絡部材と係合する係合部を有し、前記連結用橋絡部材は、前記係合部と係合しかつ数珠繋ぎ状に連結された複数の係合片を有し、前記本体側封止部は、前記蓋側封止部と前記連結用橋絡部材とを係合するために前記連結用橋絡部材を前記蓋側封止部側に向けて案内する案内部を有することを特徴とする。
【００１４】
したがって、前記基板収納口を前記蓋体が閉塞することで、前記本体側封止部と同一線上において前後して位置する蓋側封止部に向けて、前記連結用橋絡部材を前記本体側封止部からその案内部を介して移動すると、前記連結用橋絡部材の先端部に位置する係合片は、前記蓋側封止部に至り、その後当該蓋側封止部の係合部と係止する。この結果、前記蓋側封止部と前記本体側封止部とが前記連結用橋絡部材を介して連結し、ケース本体に対して蓋体が閉塞された状態を維持する。この状態をもって蓋体を封止するという。
【００１５】
封止を解くには、連結用橋絡部材の軸方向（長手方向）に配列された複数の係合片のうち前記蓋側封止部の係合部と係止されている最先端の係合片とその次の係合片とを分離し
、連結用橋絡部材を介した蓋側封止部と本体側封止部との連結を解除する。すると前記次の係合片が今度は最先に位置する係合片となる。蓋側封止部と本体側封止部との連結が解除されると、蓋体は、ケース本体の基板収納口を開放可能な状態、すなわち、非封止状態になる。
【００１６】
また、蓋体に形成された蓋側封止部とケース本体に設けられた本体側封止部とはそれぞれ一つずつであり、これらを連結する連結用橋絡部材もまた一つであって、連結用橋絡部材の軸方向に配列された複数の係合片を、検証や部材の交換を行うごとに順次切断し、当該切断した後に前記連結用橋絡部材の新たに先端部となった係合片を前記蓋側封止部に係合することにより、前記本体側封止部と、前記蓋側封止部とを前記連結用橋絡部材を用いて再度繋ぐようになる。したがって、連結用橋絡部材の複数の係合片が切断によって無くならない限り、同一の蓋側封止部及び本体側封止部を繰り返し使用することができる。また、連結用橋絡部材を新しい連結用橋絡部材にすれば、同一の蓋側封止部及び本体側封止部を繰り返し使用できる。
【００１７】
なお、非封止状態は、連結用橋絡部材の軸方向に配列された複数の係合片のうち前記蓋側封止部の係合部と係止されている最先端の係合片とその次の係合片とを必ずしも分離しなければならないわけではない。次席以降の係合片を分離することをもってしても非封止状態といえる。要は蓋側封止部と本体側封止部とが連結用橋絡部材により連結されていなければよい。
【００１８】
（２）前記数珠繋ぎ状に連結された複数の係合片は、前記係合片同士の間に括れ部を有し、この括れ部を介して前記複数の係合片を連結するようにしてもよい。
【００１９】
（３）前記連結用橋絡部材は、前記本体側封止部にスライド自在に係合されると共にその後端部には取手を有し、前記案内部は前記取手が外部に臨んだ状態で前記連結用橋絡部材がスライド可能なスライド孔とされ、当該スライド孔は、前記同一線上に沿って延びていると好適である。
【００２０】
（４）前記スライド孔には、前記連結用橋絡部材の進行方向側先端に前記取手の進行を阻止することで前記連結用橋絡部材の前記スライド孔からの抜けを防止する抜け防止手段が形成されていると好適である。
【００２１】
（５）前記本体側封止部を含む前記ケース本体及び前記蓋側封止部を含む前記蓋体は、透明な材料でできていることを特徴とする。
【００２２】
（６）前記連結用橋絡部材の複数の係合片は、それぞれ別色で着色されていることを特徴とする。
【００２３】
（７）また本発明は、前記（１）項〜（６）項のいずれかに記載の制御基板封止構造が適用された基板収納ケースでもある。
【００２４】
（８）さらに本発明は、前記（７）項の基板収納ケースを有する遊技機でもある。
【００２５】
（９）そして、本発明は、（１）項〜（６）項のいずれかに記載の制御基板封止構造を用いることにより、制御基板が収納されたケース本体の基板収納口を前記蓋体で覆蓋しその覆蓋状態を維持する封止方法である。その特徴は、前記ケース本体に収納されている前記制御基板の取替えや制御基板に実装されている記憶媒体の改竄がされていないことの検証、又は前記制御基板若しくは前記制御基板に設けられる前記記憶媒体を含む回路構成部材の交換を行うときに、前記連結用橋絡部材に外力を付加して前記連結用橋絡部材の複数の
係合片のうち最先の係合片を切断し、もって前記連結用橋絡部材による前記本体側封止部と前記蓋側封止部との連結を解除することで前記蓋体の封止を解き、前記ケース本体に収納されている前記制御基板の取替えや制御基板に実装されている記憶媒体の改竄がされていないことの検証後、又は前記制御基板若しくは前記制御基板に設けられる前記記憶媒体を含む回路構成部材の交換後、前記切断により前記連結用橋絡部材の新たな先端部となった係合片を、前記蓋側封止部に係合することで再び前記連結用橋絡部材を用いて、前記本体側封止部と、前記蓋側封止部との連繋を行って、前記蓋体の封止を繰り返し行うことにある。
【発明の効果】
【００２６】
したがって、本発明によれば、蓋側封止部と、本体側封止部とを連結するにあたり、連結用橋絡部材を構成する数珠繋ぎ状に連結された複数の係合片を制御基板の取替えや制御基板に実装されている記憶媒体の改竄がされていないことの検証、又は前記制御基板若しくは前記制御基板に設けられる前記記憶媒体を含む回路構成部材の交換を行う度に、それまで蓋体に設けられた蓋側封止部と、ケース本体に設けられた本体側封止部とを連結するのに使用されていた連結用橋絡部材の複数の係合片のうち最先端に位置する係合片を次に位置する係合片から分離し、当該分離により、前記連結用橋絡部材による前記本体側封止部と前記蓋側封止部との連結を解除することで前記蓋体の封止を解き、前記ケース本体に収納されている前記制御基板の取替えや制御基板に実装されている記憶媒体の改竄がされていないことの検証後、又は前記制御基板若しくは前記制御基板に設けられる前記記憶媒体を含む回路構成部材の交換後、前記切断したことで前記連結用橋絡部材の新たな先端部となった係合片を前記蓋側封止部に係合することで、再び前記連結用橋絡部材を用いて、前記本体側封止部と、前記蓋側封止部との連繋を行って、前記蓋体の封止を繰り返すことができる。
【００２７】
この結果、蓋側封止部とケース本体に設けられた本体側封止部とは一つあれば足り、これらを連結する連結用橋絡部材もまた一つであれば足る。すなわちこれらを複数用意する必要がない。
【００２８】
したがって、基板収納ケースのコンパクト化を図ることができる。また、封止を解くには、連結用橋絡部材の軸方向に配列された複数の係合片のうち、前記蓋側封止部の係合部と係止されている最先端の係合片を分離するだけでよく、封止を解く度に蓋側封止部や本体側封止部を従来技術のように蓋体やケース本体から切断する必要がない。よってこれまでよりも容易に非封止状態にすることができる。
【発明を実施するための最良の形態】
【００２９】
以下、本発明に係る遊技機における制御基板封止構造及び基板封止方法について図面を参照しながら説明する。
図１に示すように、遊技機であるパチンコスロット１０は、筐体１１に上扉１２ａと下扉１２ｂとからなる前面扉を有する。各扉１２ａ，１２ｂは、それぞれ一対の扉ヒンジ１６，１６（図面では下扉１２ｂのヒンジ１６のみ示す。）により回転自在に取り付けられている。
【００３０】
上扉１２ａには、４個の表示窓１３が設けられており、筐体１１内に設けられるリールユニット２６の第１リール１４ａ、第２リール１４ｂ、第３リール１４ｃ及びサブリール１５が各々の表示窓１３を介して視認できる。各リールには多数の図柄が表示されている。そして一つの表示窓１３で１リールにつき３個の図柄を視認できる。また、全ての表示窓１３に記した図示しない所定の入賞有効ライン上で第１〜第３リールが所定図柄で揃うと、いわゆる大当たりが発生する。
【００３１】
下扉１２ｂには、ゲームの開始時に操作される１枚ベットボタン，ＭＡＸベットボタン，ペイアウトボタン，メダルを投入するためのメダル投入口，メダルベットが行われた後に操作される押下式スタートレバー，押下式スタートレバーの押下操作により回転し始める前記リールの動作を停止させる第１〜第３のストップボタン等が設けられている。さらに、下扉１２ｂの下部には、メダル受皿，配当メダル払出し口，灰皿等が取り付けられている。
【００３２】
また、筐体１１内には、電子回路基板（制御基板）であるメイン基板２４が、基板収納ケース２５に収納された状態で、リールユニット２６よりも奥に取り付けられる。リールユニット２６は、支持枠２７により筐体１１の内壁に着脱自在に取り付けられる。
【００３３】
メイン基板２４は、図２に示すように、パチンコスロット１０の遊技実行中に所定条件が満たされた場合に遊技状態を遊技者にとって有利な特別遊技状態（大当たり）とする遊技用プログラムを記憶した記憶媒体であるＲＯＭ３１を実装するＲＯＭ専用基板３２や、ＣＰＵ３３などの各種回路部品が実装される。ＣＰＵ３３は、ＲＯＭ３１に記憶されている情報を適宜読み出して、その情報に基づきパチンコスロット１０の作動を制御する。
【００３４】
基板収納ケース２５は、図２に示すように、上方に開口する基板収納口１２６ｏを有するケース本体１２６と、ケース本体１２６に対しケースヒンジ１２９を介して回動可能に取り付けられて基板収納口１２６ｏを開閉する蓋体１２５と、蓋体１２５をケース本体１２６に対して封止する封止部１６４とを有する。ケース本体１２６の底部１２６ａにメイン基板２４が取り付けられる。また基板収納ケース２５は、透光性を有する部材であるＡＢＳ樹脂からできている。
【００３５】
封止部１６４は、ケース本体１２６に一体に設けられた本体側封止部１６６と、前記蓋体１２５に設けられ、前記基板収納口１２６ｏを蓋体１２５で閉塞した時に本体側封止部１６６と同一線Ｌ（図５参照）上において前後して位置する蓋側封止部１６８と、基板収納口１２６ｏ（図２参照）を蓋体１２５で閉塞した状態において本体側封止部１６６及び蓋側封止部１６８を連結し、当該連結により蓋体１２５をケース本体１２６に対して封止する連結用橋絡部材１６９とを有する。
【００３６】
なお、ここでいう前後とは、同一線Ｌ上において連結用橋絡部材１６９が移動する側が前であり、その反対の側が後である。連結用橋絡部材１６９の移動については順次説明する。
【００３７】
本体側封止部１６６は、ケース本体１２６の一側面に突出した状態で設けられており、ケース本体１２６の一隅部を起点とし、かつ蓋体１２５で閉塞した状態において蓋側封止部１６８のある側に延びる長四角矩形状をした底板部２６６と、底板部２６６の上面に位置し底板部２６６の３／５を占める直方体形状をした箱状部２６８とからなる（図４参照）。
【００３８】
底板部２６６は、その下面とケース本体１２６の側壁面との間に位置する支持脚２６６ａを有する（図４，図６及び図７参照）。支持脚２６６ａによって、底板部２６６に掛かる荷重が支えられる。
【００３９】
本体側封止部１６６は、蓋側封止部１６８と連結用橋絡部材１６９とを係合するために連結用橋絡部材１６９を蓋側封止部１６８側に向けてスライドさせて案内する案内部としての案内溝（スライド孔）２９０を有する（例えば図４，図７参照）。
【００４０】
案内溝２９０は、本体側封止部１６６の内部にその軸（長手）方向に設けられた、換言
すると前記同一線Ｌ上に沿って延びている二段重ね構造の溝であり、上下に平設された上溝２９０ｕ及び下溝２９０ｄと、両溝を繋ぐ連結溝２９０ｍと、箱状部２６８の天板２６８ａに形成されたスリット溝２９０ｓとかなり、これらを横断面で見ると漢字の”土”の字の如き形体をしている。
【００４１】
案内溝２９０は、蓋側封止部１６８の側が開放され（図４参照）、蓋側封止部１６８の反対側が閉塞されている（図３，図１１参照）。ただし、スリット溝２９０ｓにあっては、その中に入る、前記連結用橋絡部材１６９の後述する取手３０４の進行を阻止することで取手３０４、延いては連結用橋絡部材１６９の案内溝２９０からの抜けを防止する抜け防止手段としての抑止片２６９がスリット溝２９０ｓの蓋側封止部１６８の側において対向するように一対設けられている（図４，図５参照）。
【００４２】
そして、取手３０４をスリット溝２９０ｓに入れ易く、かつスリット溝２９０ｓに取手３０４を入れた後に取手３０４の抜けを防止できるように、当該一対の抑止片２６９は、形成されている。具体的には、これら一対の抑止片２６９を平面で見た時に当該一対の抑止片２６９によりそれらの間で鳩尾形状をなすように画成され、かつスリット溝２９０ｓに臨むようにされた溝（以下、鳩尾溝）２６９ａを形成するごとき形状にされている（図３〜図５参照）。
【００４３】
蓋側封止部１６８は、本体側封止部１６６の箱状部２６８と同様直方体形状をしているが、箱状部２６８の略半分の大きさであって、蓋体１２５を閉じた時に底板部２６６と対面する側の面が開口された中空体である（図５，図１３等参照）。また、蓋側封止部１６８には、蓋体１２５で閉塞した時に底板部２６６と係止する係止縁１６８ａが前記開口を縁取る一縁から下方に突出して弾性変形可能に形成されている（図３及び図６参照）。係止縁１６８ａの先端には係止突起が形成され、これが底板部２６６と係止する。
【００４４】
さらに蓋側封止部１６８のうち、蓋体１２５を閉じた時において、本体側封止部１６６と対向する壁部１６８ｂには、連結用橋絡部材１６９の先端部を蓋側封止部１６８の中空Ａ内に導くための導入口１６８ｃが形成されている（図３及び図６参照）。
【００４５】
導入口１６８ｃは、長方形状をしている。そして、蓋体１２５を閉じ、蓋側封止部１６８の係止縁１６８ａが本体側封止部１６６の底板部２６６と係止すると、導入口１６８ｃの長縁が底板部２６６と平行になるとともに、導入口１６８ｃが、本体側封止部１６６に形成された案内溝２９０の下溝２９０ｄと対向され、かつ導入口１６８ｃと下溝２９０ｄとが同一線Ｌ上に前後して位置するようになっている。
【００４６】
また、蓋体１２５を閉じた時において、蓋側封止部１６８の側部と、本体側封止部１６６の底板部２６６と、同じく箱状部２６８の側部との間には、空間部Ｓが設けられている（図３参照）。空間部Ｓの適用については後で述べる。
【００４７】
連結用橋絡部材１６９は、数珠繋ぎ状に連結された複数の係合片２６４を有する。なお、この実施形態では３つの係合片２６４を有し、そのうち最先、中央、最後尾の係合片２６４をそれぞれ符号２６４i，２６４ii及び２６４iiiで示すが、これらを総称するときは符号２６４で示唆する。各係合片２６４の各々は、蓋側封止部１６８の中空Ａ内に十分に収納され得る程度の大きさである。そして、最後尾の係合片２６４iiiに連続して基端部２６５が設けられている。
【００４８】
各係合片２６４は、鋭角に開脚する一対の脚２６４ａを含む楔形の頭部２６４ｂと、頭部２６４ｂのうち一対の脚２６４ａが交差する中央部分から次の係合片２６４に向かって後方に延びる延在部２６４ｃとからなる（図４参照）。そして、延在部２６４ｃを介して
、係合片２６４同士は連結されている。また、延在部２６４ｃのうち次に位置する係合片２６４との接合箇所は括れており、当該箇所を括れ部２６４ｄと呼称する（例えば図８，図９参照）。
【００４９】
頭部２６４ｂの大きさ、換言すれば一対の脚２６４ａの自由端同士の間隔は、蓋側封止部１６８の導入口１６８ｃの長さ寸法よりも幾分大きめの程度とされている（図５参照）。また、一対の脚２６４ａは、一端固定他端自由な片持ち梁状であるから弾力がある。
【００５０】
よって、連結用橋絡部材１６９の先端部に位置する係合片２６４を蓋側封止部１６８の中空Ａ内に導くために導入口１６８ｃに連結用橋絡部材１６９を進行させた場合において（図１０（ａ）参照）、連結用橋絡部材１６９の頭部２６４ｂが導入口１６８ｃの長さ寸法よりも幾分大きめであっても導入口１６８ｃに対して頭部２６４ｂを押し込めば、導入口１６８ｃに対して一対の脚２６４ａの自由度が高いため、一対の脚２６４ａは、押し込まれた時に導入口１６８ｃから受ける圧力により、その開脚の度合いが狭められ（図１０（ｂ）参照）、それ故、導入口１６８ｃを経由して係合片２６４が蓋側封止部１６８の中空Ａ内に収納されるようになる（図１０（ｃ）参照）。
【００５１】
一対の脚２６４ａが中空Ａ内に収納されると最早一対の脚２６４ａに外力は作用しなくなるため、一対の脚２６４ａは、これを蓋側封止部１６８の中空Ａ内に収納する前の開度に戻る（図１０（ｃ）参照）。そして、一対の脚２６４ａの自由端は、蓋側封止部１６８のうち導入口１６８ｃを有する前記壁部１６８ｂに蓋側封止部１６８の中空Ａ内で当接し、蓋側封止部１６８と係合できるようになり、その結果、抜けなくなる。この関係で、導入口１６８ｃを有する壁部１６８ｂのことをこの明細書では係合部ということにする。
【００５２】
括れ部２６４ｄは、連結用橋絡部材１６９を本体側封止部１６６と蓋側封止部１６８とを連結する作業を行う際に括れ部２６４ｄに多少の引っ張り力が加わった程度では破断しないが、例えばマイナスドライバーで括れ部２６４ｄに外力を加えると破断する程度の強度を有する。
【００５３】
これら複数の係合片２６４は、本体側封止部１６６の前記下溝２９０ｄにスライド自在に内嵌状態で係合されている（図１０参照）。そして、基端部２６５には、上溝２９０ｕ及び連結溝２９０ｍにそれぞれ内嵌される、上溝嵌合片３００及び連結片３０２が一体形成されている（図４，図７参照）。また、上溝嵌合片３００には、その上面にスリット溝２９０ｓから外部に臨む取手３０４が突出形成されている。よって、連結用橋絡部材１６９の基端部２６５の箇所での横断面は、案内溝２９０の横断面と同様に漢字の”土”の字の如き形体をしている。
【００５４】
取手３０４をスリット溝２９０ｓに沿って移動することで、連結用橋絡部材１６９を本体側封止部１６６から蓋側封止部１６８の側に向けて移動することができる。なお、連結用橋絡部材１６９の係合片２６４を蓋側封止部１６８と初めて係合する移動前の状態にあっては、連結用橋絡部材１６９は、本体側封止部１６６の案内溝２９０にそのほぼ全体が収納された状態にある（図１０（ａ）参照）。
【００５５】
そして、蓋体１２５を閉じた状態において、連結用橋絡部材１６９を介して本体側封止部１６６と蓋側封止部１６８とを連結することで蓋体１２５をケース本体１２６に対して封止状態にすべく、蓋側封止部１６８の中空Ａ内に係合片２６４を導入すると、連結用橋絡部材１６９の括れ部２６４ｄが、前記空間部Ｓの中央部、即ち、蓋側封止部１６８と本体側封止部１６６との間のほぼ中央に位置するようになる（図５参照）。
【００５６】
この時、先端に位置する係合片２６４iを介して蓋側封止部１６８と本体側封止部１６
６とを連結する時には、連結用橋絡部材１６９を蓋側封止部１６８の側にスライドさせて取手３０４を後端から少し前方へ移動してスリット溝２９０ｓの後端から幾分離れた箇所に位置するように（図３、図１０及び図１１参照）、また２番目の係合片２６４iiを介して蓋側封止部１６８と本体側封止部１６６とを連結する時には、一層、連結用橋絡部材１６９を蓋側封止部１６８の側にスライドさせて、取手３０４がスリット溝２９０ｓのほぼ中央に位置するように（図１２及び図１３参照）、さらに最後尾の係合片２６４iiiを介して蓋側封止部１６８と本体側封止部１６６とを連結する時には、連結用橋絡部材１６９を蓋側封止部１６８の側にさらにスライドさせて、取手３０４がスリット溝２９０ｓの先端の抑止片２６９に当接するか又は当接するほど近辺に位置するように（図４参照）、スリット溝２９０ｓ、取手３０４の長さ及び連結用橋絡部材１６９の長さ寸法が定められている。
【００５７】
そして、基板収納ケース２５の内部の検証、又は同ケース２５に収納されているＲＯＭ専用基板３２若しくはＲＯＭ専用基板３２に設けられるＲＯＭ３１を含む回路構成部材の交換を行う場合には、パチンコスロット１０の上扉１２ａを開き、筐体１１内に設けられるリールユニット２６を取り除き、リールユニット２６よりも奥に取り付けられている基板収納ケース２５を筐体から取り外す。なお、基板収納ケース２５の筐体における取り付け場所は適宜設定変更できるものとする。
【００５８】
その後、取り外した基板収納ケース２５を作業台その他の安定した箇所に置き、例えばマイナスドライバー３０６を用いて封止を解く。具体的には、図１１に示すように、連結用橋絡部材１６９の軸方向（長手方向）に配列された複数の係合片２６４のうち蓋側封止部１６８と係止されている最先の係合片２６４iとその次の係合片２６４iiとの間の括れ部２６４ｄにマイナスドライバー３０６を宛がった状態で押圧することにより両係合片２６４i，２６４iiを分離し（図１１（ａ），（ｂ）参照）、もって連結用橋絡部材１６９を介した蓋側封止部１６８と本体側封止部１６６との連結を解除する（図１１（ｃ）参照）。分離によって係合片２６４は破損された状態となり、元の状態に戻すことは不可能になる。
【００５９】
蓋側封止部１６８と本体側封止部１６６との連結が解除されると、蓋体１２５は、ケース本体１２６の基板収納口１２６ｏを開放可能な状態、すなわち、非封止状態になる。
【００６０】
なお、最先の係合片２６４iを次の係合片２６４iiから分離したときに、係合片２６４iが蓋側封止部１６８内に自然に収納されない時は、マイナスドライバー３０６により、蓋側封止部１６８内に係合片２６４iを押しやる（図１１（ｃ），図１２（ａ）参照）。分離された係合片２６４は、そのまま蓋側封止部１６８内に収納しておいてもよいが、図１２（ｂ）のように、蓋側封止部１６８を含む蓋体１２５を開いて蓋側封止部１６８から排除してもよい。排除した後は、図１２（ｃ）のように蓋体１２５を元の通り閉じる。前記分離により次（中央）の係合片２６４iiが、今度は最先端の係合片２６４になる（図１３（ａ）参照）。
【００６１】
蓋体１２５を非封止状態から封止状態にするには、連結用橋絡部材１６９の取手３０４を蓋側封止部１６８側に指先で押しやり、本体側封止部１６６に設けた案内溝２９０に対し連結用橋絡部材１６９をスライドさせて蓋側封止部１６８側に向けて移動し（図１３（ｂ）参照）、連結用橋絡部材１６９の先端に位置することになった係合片２６４iiを蓋側封止部１６８の導入口１６８ｃに導入し、これにより蓋側封止部１６８と本体側封止部１６６との連結用橋絡部材１６９を介した係合を再度実行する（図１３（ｃ）参照）。
【００６２】
そして、次に基板収納ケース２５の内部の検証、又は同ケース２５に収納されているＲＯＭ専用基板３２若しくはＲＯＭ専用基板３２に設けられるＲＯＭ３１を含む回路構成部
材の交換を行う場合には、既述したと同様に、今度は係合片２６４iiの括れ部２６４ｄにマイナスドライバーで外力を加えることで破断し、今度は係合片２６４iiiを最先端の係合片２６４として蓋側封止部１６８の導入口１６８ｃに導入し、これにより蓋側封止部１６８と本体側封止部１６６との連繋を再び行って、蓋体１２５の封止を繰り返し実行する。
【００６３】
以上の説明からわかるよに、蓋体１２５とケース本体１２６との封止を行うに当たり、封止部１６４を構成する蓋側封止部１６８と本体側封止部１６６とは一つあれば足り、これらを連結する連結用橋絡部材１６９もまた一つであれば足る。すなわち封止部１６４を構成する部材は最小数あれば足り、これらを複数用意する必要がないので、基板収納ケース２５のコンパクト化を図ることができる。
【００６４】
また、封止を解くには、連結用橋絡部材１６９の軸方向に配列された複数の係合片１６４のうち、蓋側封止部１６８と係止されている最先端の係合片１６４を分離するだけでよく、封止を解く度に蓋側封止部１６８や本体側封止部１６６をも従来技術のように蓋体１２５やケース本体１２６から切断する必要がない。よって、従来の技術よりも容易に非封止状態にすることができる。
【００６５】
なお、最後の係合片２６４iiiを使用し終わった後、すなわち最後の係合片２６４iiiをマイナスドライバー３０６で分離した後において封止を継続する場合には、新たな連結用橋絡部材１６９を用いることになるが、この場合、連結用橋絡部材１６９の本体側封止部１６６への導入は、連結用橋絡部材１６９をその最後尾から案内溝２９０に入れることによって行う。
【００６６】
この時、当該案内溝２９０のスリット溝２９０ｓに連結用橋絡部材１６９の取手３０４が、また案内溝２９０の上溝２９０ｕに連結用橋絡部材２９０の上溝嵌合片３００が内嵌されると共に、連結用橋絡部材１６９の係合片２６４に連続する基端部２６５及び、連結片３０２は、それぞれ案内溝２９０の、下溝２９０ｄ及び連結溝２９０ｍに内嵌される。スリット溝２９０ｓには、既述のように一対の抑止片２６９によって形成された鳩尾溝２６９ａがあり、鳩尾溝２６９ａに案内されながら取手３０４はスリット溝２９０ｓに導入され、スリット溝２９０ｓに取手３０４が導入された後は、一対の抑止片２６９によって取手３０４の抜けが防止される。
【００６７】
既述したように、基板収納ケース２５にあっては、蓋体１２５に形成された蓋側封止部１６８とケース本体１２６に設けられた本体側封止部１６６とはそれぞれ一つずつ有するだけであり、これらを連結する連結用橋絡部材１６９もまた一つであって、連結用橋絡部材１６９の軸方向に配列された複数の係合片２６４を、ケース本体１２６に収納されているメイン基板２４の取替えやメイン基板２４に実装されているＲＯＭ３１の改竄がされていないことの検証や部材の交換を行うごとに順次分離し、当該分離した後に連結用橋絡部材１６９の新たに先端部となった次の係合片２６４を蓋側封止部１６８に係合することにより、本体側封止部１６６と、蓋側封止部１６８とを連結用橋絡部材１６９を用いて再度繋ぐ。
【００６８】
したがって、連結用橋絡部材１６９の複数の係合片２６４が分離によって無くならない限り、同一の蓋側封止部１６８及び本体側封止部１６６を繰り返し使用することができる。  また、連結用橋絡部材１６９を新しくすれば、さらに繰り返して同一の蓋側封止部１６８及び本体側封止部１６６を使用できる。
【００６９】
なお、非封止状態は、連結用橋絡部材１６９の軸方向に配列された複数の係合片２６４のうち蓋側封止部１６８と係止されている最先端の係合片２６４とその次の係合片２６４
とを必ずしも分離しなければならないわけではない。連結用橋絡部材１６９の途中に位置する係合片２６４をその次の係合片２６４と分離することであってもよい。要は連結用橋絡部材１６９を介在させて蓋側封止部１６８と本体側封止部１６６とが連結されていない状態にあればよい。
【００７０】
そして、蓋体１２５とケース本体１２６との繋がりを解き、蓋体１２５を開いて、前記基板収納ケース２５に収納されているＲＯＭ３１の改竄やＲＯＭ専用基板３２の取り替えがされていないことの検証後、又は基板収納ケース２５に収納されているＲＯＭ専用基板３２若しくはＲＯＭ専用基板３２に設けられるＲＯＭ３１を含む回路構成部材の交換後は、連結用橋絡部材１６９を用いて、蓋体１２５とケース本体１２６とを再度繋ぎ、その後は基板収納ケース２５を筐体１１に取り外した場合と逆の順序で、基板収納ケース２５及びリールユニット２６を筐体１１に取り付け、上扉１２ａを閉じれば、パチンコスロット１０の稼働準備が調う。
【００７１】
なお、パチンコスロット１０が遊技場に設置されている状態で連結用橋絡部材１６９が正当に括れ部２６４ｄで分離される場合を、前記検証や交換を行う場合のみと定めておけば、当該検証や交換の際に既に連結用橋絡部材１６９が分離された状態にあれば、何者かによって不正が行われたことが判明する。
また、螺合手段を用いて封止するものではないため、比較的容易に封止の解除ができる。
【００７２】
さらにまた、本体側封止部１６６を含むケース本体１２６及び蓋側封止部１６８を含む蓋体１２５は、透明材料であるＡＢＳ樹脂からなるので、連結用橋絡部材１６９が本体側封止部１６６及び蓋側封止部１６８に入っていることが一目瞭然である。
【００７３】
しかも、連結用橋絡部材１６９の各係合片２６４を例えば、最先の係合片２６４iは赤、中央の係合片２６４iiは青、最後尾の係合片２６４iiiは黄色という具合いにそれぞれ別色で着色しておいてもよい。このようにすると、現在使用しているものが何番目の係合片であるかを簡単に識別できるので作業性が向上する。
【００７４】
着色の応用として、連結用橋絡部材１６９の係合片２６４の全てを同じ色で着色しておく。そして、当該係合片２６４を異色に着色された連結用橋絡部材１６９を複数用意しておき、ＲＯＭ３１の改竄やＲＯＭ専用基板３２の取替えが行われていないか否かを検証する場合、又は基板収納ケース２５に収納されているメイン基板２４若しくはメイン基板２４に設けられるＲＯＭ３１を含む回路構成部材の交換を行う毎に、当該異色の連結用橋絡部材１６９を使用すれば、連結用橋絡部材１６９の係合片２６４が何色であるかは関係者以外には知らされていないため、万一偽の連結用橋絡部材１６９が不正に使用された場合でも規定の着色がされたものではないこと、すなわち不正が行われたことが容易に判る。
【００７５】
尚、本発明は、上述の図示例にのみ限定されるものではなく、本発明の要旨を逸脱しない範囲内において種々変更を加え得ることは勿論である。
【００７６】
例えば、この実施形態では、抜け防止手段としての一対の抑止片２６９をスリット溝２９０ｓに設けたものを例示したが、上溝２９０ｕにも設けてもよい。また一対の抑止片２６９によってそれらの間に形成される鳩尾溝２６９ａに連結用橋絡部材２９０の上溝嵌合片３００や取手３０４が導入され易いように上溝嵌合片３００や取手３０４の後端を先細り形状にしてもよい。
【図面の簡単な説明】
【００７７】
【図１】本発明に係る制御基板封止構造が適用されるパチンコスロットの外観を示す斜視図である。
【図２】基板収納ケースをその蓋体を開いた状態を示す斜視図である。
【図３】蓋体を閉じた状態における基板収納ケースの要部拡大斜視図であって、封止部を示す図である。
【図４】図３を別方向から見ると共に、連結用橋絡部材を最も前進させた状態を示す斜視図である。
【図５】図３の平面図である。
【図６】図５のＡ−Ａ線断面図である。
【図７】図５のＢ−Ｂ線断図である。
【図８】連結用橋絡部材の平面図である。
【図９】図８の側面図である。
【図１０】連結用橋絡部材が蓋側封止部に押し込まれている状態を説明するための平面図である。
【図１１】連結用橋絡部材をドライバにて切断し、中央の係合片を蓋側封止部に押し込むまでの状態を説明するための縦断面図であって、最先の係合片がまだ蓋側封止部にある状態を説明するための動作説明図である。
【図１２】図１１に連続する図であって、切断された最先の係合片を除去するために、蓋体を開くまでの状態を説明するための動作説明図である。
【図１３】図１２に連続する図であって、切断された最先の係合片を除去した後に中央の係合片を蓋体内に導入する状態を説明するための動作説明図である。
【符号の説明】
【００７８】
１０  パチンコスロット
１１  筐体
１２ａ  上扉
１２ｂ  下扉
１３  表示窓
１４ａ  第１リール
１４ｂ  第２リール
１４ｃ  第３リール
１５  サブリール
１６  扉ヒンジ
２４  メイン基板（制御基板）
２５  基板収納ケース
２６  リールユニット
２７  支持枠
３１  ＲＯＭ（記憶媒体）
３２  専用基板
１２５  蓋体
１２６  ケース本体
１２６ａ  底部
１２６ｏ  基板収納口
１２９  ケースヒンジ
１６４  封止部
１６６  本体側封止部
１６８  蓋側封止部
１６８ａ  係止縁
１６８ｂ  壁部(係合部)
１６８ｃ  導入口
１６９  連結用橋絡部材
２６４  係合片の総称
２６４i  最先の係合片
２６４ii  中央の係合片
２６４iii  最高尾の係合片
２６４ａ  脚
２６４ｂ  頭部
２６４ｃ  延在部
２６４ｄ  括れ部
２６５  基端部
２６６  底板部
２６６ａ  支持脚
２６８  箱状部
２６８ａ  天板
２６９  抑止片(抜け防止手段)
２６９ａ  鳩尾溝
２９０  案内溝,スライド孔(案内部)
２９０ｄ  下溝
２９０ｍ  連結溝
２９０ｓ  スリット溝
２９０ｕ  上溝
３００  上溝嵌合片
３０２  連結片
３０４  取手
３０６  マイナスドライバー
Ａ  蓋側封止部の中空
Ｌ  同一線
Ｓ  蓋側封止部と本体側封止部との間の空間部
【図１】
0004480648.tif 000002
【図２】
0004480648.tif 000003
【図３】
0004480648.tif 000004
【図４】
0004480648.tif 000005
【図５】
0004480648.tif 000006
【図６】
0004480648.tif 000007
【図７】
0004480648.tif 000008
【図８】
0004480648.tif 000009
【図９】
0004480648.tif 000010
【図１０】
0004480648.tif 000011
【図１１】
0004480648.tif 000012
【図１２】
0004480648.tif 000013
【図１３】
0004480648.tif 000014